(57)【要約】【課題】照射対象物の影の発生を抑制する。【解決手段】光を発光するＬＥＤチップと、ＬＥＤチップから出射光を集光するように制御する配光制御用部材を有するＬＥＤユニット１２と、ＬＥＤユニットが２個以上取り付けられる取付部を有するレールユニットとを有するＬＥＤ照明装置１において、ＬＥＤユニット１２の間隔が、ＬＥＤユニット１２から照射面までの距離、およびＬＥＤユニットの半値半角に基づいて決定された値となっている。【選択図】図４
2011181251.tif 000002
【特許請求の範囲】
【請求項１】
光を発光するＬＥＤチップと、上記ＬＥＤチップから出射光を集光するように制御する配光制御用部材を有するＬＥＤユニットと、
上記ＬＥＤユニットが２個以上取り付けられる取付部と
を有し、
上記ＬＥＤユニットの間隔が、上記ＬＥＤユニットから照射面までの距離、および上記ＬＥＤユニットの半値半角に基づく距離である
ことを特徴とするＬＥＤ照明装置。
【請求項２】
請求項１に記載のＬＥＤ照明装置において、
前記ＬＥＤユニット同士の間隔ｐは、前記配光制御部材の長辺方向の半値半角をθ、前記ＬＥＤユニットと照射面との距離をＬとする場合、
Ｌ・tanθ/４ ≦ｐ≦２Ｌ・tanθ
を満たす範囲の値である
ことを特徴とするＬＥＤ照明装置。
【請求項３】
請求項１または２に記載のＬＥＤ照明装置において、
前記ＬＥＤユニットは、前記取付部に移動可能に取り付けられている
ことを特徴とするＬＥＤ照明装置。
【請求項４】
請求項１から３に記載のいずれかのＬＥＤ照明装置において、
前記配光制御部材が配光制御レンズであって、上記配光制御レンズは、入射した光を多重散乱させる光散乱粒子を含有している光散乱導光体から構成されている
ことを特徴とするＬＥＤ照明装置。
【請求項５】
請求項４に記載のいずれかのＬＥＤ照明装置において、
前記配光制御レンズは、透明ＰＭＭＡ樹脂に散乱微粒子として粒径１μｍ〜９μｍの球状かつ透光性のシリコーン粒子が多数含有された光散乱導光体から構成されている
ことを特徴とするＬＥＤ照明装置。
【発明の詳細な説明】
【技術分野】
【０００１】
本発明は、ＬＥＤ照明装置に関し、特に、照射による対象物の影の発生を抑制することが可能なＬＥＤ照明装置に関する。
【背景技術】
【０００２】
例えば商品を陳列する店舗を始め、美術館や博物館等において、陳列・展示品がある床面を、上方（天井面側）から照明するための照明器具が種々提案されている。たとえば、特許文献１には、複数のＬＥＤ（Light Emitting Diode：発光ダイオード）光源を用いて、遠方から近傍までの領域における照度を均等に保った状態での照明を可能とする照明装置について開示されている。
【先行技術文献】
【特許文献】
【０００３】
【特許文献１】特開２００８−９８０８８号公報
【発明の概要】
【発明が解決しようとする課題】
【０００４】
しかしながら、そのようなＬＥＤ照明装置で上方（天井面側）から下方（床面側）を照射する場合、ＬＥＤ光源が複数個あることから、照らされる対象物（たとえば、展示品）の影が複数発生してしまうことがあった。このように複数の影が生じてしまうと、たとえば展示品としての見栄えが悪くなってしまうことがある。
【０００５】
本発明はこのような状況に鑑みてなされたものであり、その目的は、照射による対象物の影の発生を抑制することが可能なＬＥＤ照明装置を提供することである。
【課題を解決するための手段】
【０００６】
本発明の一側面は、光を発光するＬＥＤチップと、ＬＥＤチップから出射光を集光するように制御する配光制御用部材を有するＬＥＤユニットと、ＬＥＤユニットが２個以上取り付けられる取付部とを有し、ＬＥＤユニットの間隔が、ＬＥＤユニットから照射面までの距離、およびＬＥＤユニットの半値半角に基づく距離であることを特徴とする。
【０００７】
ＬＥＤユニット同士の間隔ｐは、配光制御部材の長辺方向の半値半角をθ、ＬＥＤユニットと照射面との距離をＬとする場合、Ｌ・tanθ/４ ≦ｐ≦２Ｌ・tanθを満たす範囲の値であるようにすることができる。
【０００８】
ＬＥＤユニットを、取付部に移動可能に取り付けることができる。
【０００９】
配光制御部材が配光制御レンズであって、配光制御レンズは、入射した光を多重散乱させる光散乱粒子を含有している光散乱導光体から構成されているようにすることができる。
【００１０】
配光制御レンズは、透明ＰＭＭＡ樹脂に散乱微粒子として粒径１μｍ〜９μｍの球状かつ透光性のシリコーン粒子が多数含有された光散乱導光体から構成されているようにすることができる。
【発明の効果】
【００１１】
本発明によれば、照射による対象物の影の発生を抑制することが可能なＬＥＤ照明装置を提供するこができる。
【図面の簡単な説明】
【００１２】
【図１】本発明の実施の形態としてのＬＥＤ照明装置１の構成例を示す図である。
【図２】図１のレールユニット１１およびＬＥＤユニット１２の構成例を示す図である。
【図３】図１のレールユニット１１およびＬＥＤユニット１２の構成例を示す他の図である。
【図４】図１のＬＥＤ照明装置１の利用例を示す図である。
【図５】ＬＥＤユニットの配列位置が図４の例とは異なるＬＥＤ照明装置の利用例を示す図である。
【図６】単一真球粒子による強度分布を示す図である。
【図７】従来の照射対象物付近の照度分布および照度曲線を表わす図である。
【図８】照射対象物付近の照度分布および照度曲線を表わす図である。
【図９】リフレクタを用いた場合の利用例における照射対象物付近の照度分布および照度曲線を表わす図である。
【発明を実施するための形態】
【００１３】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１４】
本発明の一側面は、光を発光するＬＥＤチップ（たとえば、図３のＬＥＤチップ４１）と、ＬＥＤチップから出射光を集光するように制御する配光制御用部材（たとえば、図３の配光制御用レンズ４３）を有するＬＥＤユニット（たとえば、図３のＬＥＤユニット１２）と、ＬＥＤユニットが２個以上取り付けられる取付部（たとえば、図３のレールユニット１１の取付部２１）とを有し、ＬＥＤユニットの間隔が、ＬＥＤユニットから照射面までの距離、およびＬＥＤユニットの半値半角に基づく距離（たとえば、式（１））であることを特徴とする。
【００１５】
ＬＥＤユニット同士の間隔ｐは、配光制御部材の長辺方向の半値半角をθ、ＬＥＤユニットと照射面との距離をＬとする場合、Ｌ・tanθ/４ ≦ｐ≦２Ｌ・tanθを満たす範囲の値であるようにすることができる（たとえば、式（１）および式（１２））。
【００１６】
ＬＥＤユニットを、取付部に移動可能に取り付けることができる（たとえば、図３）。
【００１７】
配光制御部材が配光制御レンズであって、配光制御レンズは、入射した光を多重散乱させる光散乱粒子を含有している光散乱導光体から構成されているようにすることができる（たとえば、図６）。
【００１８】
配光制御レンズは、透明ＰＭＭＡ樹脂に散乱微粒子として粒径１μｍ〜９μｍの球状かつ透光性のシリコーン粒子が多数含有された光散乱導光体から構成されているようにすることができる（たとえば、図６）。
【００１９】
以下、本発明の実施の形態について図面を参照して詳細に説明する。
【００２０】
［本発明の実施の形態としてのＬＥＤ照明装置１の構成例］
【００２１】
図１は、本発明の実施の形態としてのＬＥＤ照明装置１の構成例を示す図である。
【００２２】
ＬＥＤ照明装置１は、図１に示すように、レールユニット１１および複数のＬＥＤユニット１２を有して構成されている、いわゆるＬＥＤを光源とするライン照明装置である。なお図１においては、最も右端のＬＥＤユニット１２に符号が付され、他のＬＥＤユニット１２の符号は省略されている。ＬＥＤ照明装置１は、たとえば、レールユニット１１の背面（ＬＥＤユニット１２が取り付けられている面と反対の面）が、天井に設置されて、ＬＥＤユニット１２から出射される光で、ＬＥＤ照明装置１の下方（床面）を照らすように用いられる。
【００２３】
ＬＥＤ照明装置１は、ＬＥＤユニット１２がレールユニット１１内をスライドすることができる構成を有しており、たとえば、個々のＬＥＤユニット１２の照明範囲が重ならないようにＬＥＤユニット１２の位置が調整可能となっている。
【００２４】
図２および図３は、レールユニット１１およびＬＥＤユニット１２の構成例を示す図である。なお図２および図３では、レールユニット１１の一部と２個のＬＥＤユニット１２について図示されているが、レールユニット１１の残りの部分、および他のＬＥＤユニット１２も同様に構成されている。
【００２５】
レールユニット１１は、たとえば、アルミニウムを押出成形することにより断面形状が略コ字状に成形された取付部２１の側面部の内側の溝状レール部２１Ａに、フレキシブル基板２２が配置されて構成されている。
【００２６】
ＬＥＤユニット１２は、大きくは、ＬＥＤ部３１およびＬＥＤ基板３２を有して構成されている。
【００２７】
ＬＥＤ部３１は、ＬＥＤチップ４１、レンズ用ホルダー４２、および配光制御用レンズ４３を有して構成されている。光源であるＬＥＤチップ４１は、ＬＥＤ基板３２に実装されている。配光制御用レンズ４３は、レンズ用ホルダー４２に組み込まれて、ＬＥＤチップ４１が出射する光を配光できるようにＬＥＤ基板３２に取り付けられる。
【００２８】
ＬＥＤ基板３２は、レールユニット１１の取付部２１の一端から溝状レール部２１Ａ中に挿入される。ＬＥＤ基板３２は、溝状レール部２１Ａ中を移動（スライド）可能となっている。すなわちＬＥＤユニット１２の位置を調整できる構造となっている。ＬＥＤユニット１２への給電は、ＬＥＤ基板３２およびレールユニット１１のフレキシブル基板２２を介して行われる。
【００２９】
なおレールユニット１１に可動可能に取り付けられたＬＥＤユニット１２は、その図示は省略するが、ネジ止めされる構成となっている。
【００３０】
［ＬＥＤユニット１２の位置調整］
ＬＥＤユニット１２は、式（１）を満たす位置に配置される。式（１）中、ｐは、ＬＥＤユニット１２の間隔（距離）を示し、Ｌは、ＬＥＤユニット１２と、その光が照射される面（たとえば、床面）までの距離を示している。θは、ＬＥＤユニット１２の、ＬＥＤユニット１２が並ぶ方向（この例の場合、レールユニット１１の長手方向）の半値半角を示している。半値半角とは、光度が光源の中心軸上の値の半分になる時の角度のことである。
ｐ＝２Ｌ・tanθ・・・（１）
【００３１】
図４は、式（１）を満たす位置にＬＥＤユニット１２が配置されたＬＥＤ照明装置１の利用例を示す図である。この例では、ＬＥＤ照明装置１は、レールユニット１１の背面（ＬＥＤユニット１２が取り付けられている面と反対の面）が、天井に設置されて、ＬＥＤユニット１２から出射される光で、天井から距離Ｌだけ離れた床面が照らされている。各ＬＥＤユニット１２は、ＬＥＤユニット１２の半値半角、および天井から床面までの距離Ｌにおいて式（１）を満たす距離ｐの間隔を開けて配置されている。
【００３２】
［実施の形態における効果］
１．以上のように、ＬＥＤユニット１２の間隔を、ＬＥＤユニット１２の、ＬＥＤユニット１２の並び方向の半値半角、および照射距離に基づく所定の距離だけ間隔を開けて配置するようにしたので、照射面に置かれている対象物の影の発生を抑制することができる。
【００３３】
たとえば、ＬＥＤユニット１２の間隔が、２Ｌ・tanθから得られる値より短い場合、図５に示すように、照射される対象物（以下、適宜、照射対象物Ｗと称する）が複数のＬＥＤユニット１２の半値照射範囲（図中、点線で示される範囲）に入り、その照度によっては、影が複数発生する。
【００３４】
一方、ＬＥＤユニット１２の間隔が、式（１）を満たす距離となっている場合、図４に示すように、照射対象物Ｗは、１個のＬＥＤユニット１２の半値照射範囲に入るので、基本的に影が発生しない。
【００３５】
なお、ＬＥＤユニット１２の間隔を、２Ｌ・tanθから得られる値より大きい値とすれば、当然、照射対象物の影が生じないが、この場合、ＬＥＤユニット１２からの光がスポット状となり、ＬＥＤ照明装置１全体としては均一の照度分布を得ることができない。照度分布について言及すれば、式（１）を満たす間隔でＬＥＤユニット１２が配置されると、各ＬＥＤユニット１２からの光の照度分布（ガウス分布に近い分布）が合成されて、ＬＥＤ照明装置１全体としては均一の照度分布を得ることができる。
【００３６】
２．また以上のように、ＬＥＤユニット１２をレールユニット１１に対して移動可能に取り付けているので、たとえば、ユーザは、使用する環境の照射面までの距離Ｌに応じて、ＬＥＤユニット１２を自由に移動させることができる。またＬＥＤユニット１２は、レールユニット１１の端から引き抜いて取り出したり、挿入して取り付けることができるので、ＬＥＤユニット１２の交換等を容易に行うことができる。
【００３７】
［他の実施の形態］
１．以上においては、半値半角を１２°の例の場合を例として説明したが、それより大きい、または小さい半値半角のＬＥＤユニット１２を用いることができる。半値半角が大きければ、照度範囲が広がるので、その分、ＬＥＤユニット１２の数を節約することができる。
【００３８】
２．また以上においては、ＬＥＤ部３１の配光制御用レンズ４３の材質については言及しなかったが、透明樹脂、ガラスを用いることができる。また透明樹脂に散乱能を与えられた光散乱導光体（光を散乱させるための微小な散乱粒子が混錬分散された導光体）を用いることができる。
【００３９】
光散乱導光体に用いられる透明樹脂の材料としては、例えば、ＰＥＴ（ポリエチレンテレフタレート）、ＰＰ（ポリプロピレン）、ＰＣ（ポリカーボネート）、ＰＭＭＡ（ポリメチルメタクリレート）、ベンジルメタクリレート、ＭＳ樹脂、あるいはＣＯＰ（シクロオレフィンポリマー）のような光学的に透明な樹脂が挙げられる。光散乱導光体に混錬分散させる散乱微粒子としては、１〜１０μｍの、トスパール、シリコーン、シリカ、ジルコニア、誘電体ポリマ等の粒子が用いられている。
【００４０】
光散乱導光体は、体積的に一様な散乱能が与えられた導光体であり、散乱微粒子としての球形粒子を多数含んでいる。光学レンズの導光体内部に光が入射すると、その光は散乱微粒子によって散乱することになる。
【００４１】
ここで散乱微粒子の理論的な基礎を与えるＭｉｅ散乱理論について説明する。Ｍｉｅ散乱理論は、一様な屈折率を有する媒体（マトリックス）中に該媒体と異なる屈折率を有する球形粒子（散乱微粒子）が存在するケースについてマックスウェルの電磁方程式の解を求めたものである。光散乱粒子に相当する散乱微粒子によって散乱した散乱光の角度に依存した強度分布Ｉ（Α、Θ）は下記式（２）で表され、散乱効率Ｋ（Ａ）は、下記式（３）で表わされる。Αは、散乱微粒子の光学的大きさを示すサイズパラメータであり、マトリックス中での光の波長λで規格化された球形粒子（散乱微粒子）の半径ｒに相当する量であって、下記式（４）で表わされる。角度Θは散乱角で、入射光の進行方向と同一方向をΘ＝１８０°にとる。
【００４２】
また、式（２）中のｉ１、ｉ２は、下記式（５）で表される。そして、式（３）〜式（５）中の下添字ν付のａおよびｂは、下記式（６）で表される。上添字１および下添字νを付したＰ（ｃｏｓΘ）は、Ｌｅｇｅｎｄｒｅの多項式、下添字ν付のａ、ｂは、１次、２次のＲｅｃａｔｔｉ−Ｂｅｓｓｅｌ関数Ψ＊、ζ＊（ただし、「＊」は下添字νを意味する。）とその導関数とからなる。ｍはマトリックスを基準にした散乱微粒子の相対屈折率で、ｍ＝ｎｓｃａｔｔｅｒ／ｎｍａｔｒｉｘである。
【００４３】
【数１】
2011181251.tif 000003
【００４４】
図６は、上記式（２）〜式（６）に基づいて、単一真球粒子による強度分布Ｉ（Α、Θ）を示すグラフである。この図６では、原点Ｇの位置に散乱微粒子としての真球粒子があり、下方から入射光が入射した場合の散乱光強度の角度分布Ｉ（Α、Θ）を示している。そして、原点Ｇから各曲線Ｓ１〜Ｓ３までの距離が、それぞれの散乱角方向の散乱光強度である。曲線Ｓ１はΑが１．７であるときの散乱光強度、曲線Ｓ２はΑが１１．５であるときの散乱光強度、曲線Ｓ３はΑが６９．２であるときの散乱光強度を示している。なお、図６においては、散乱光強度を対数目盛で示している。このため、図６では僅かな強度差として見える部分が、実際には非常に大きな差となる。
【００４５】
この図６に示すように、サイズパラメータΑが大きくなればなるほど（ある波長λで考えた場合は真球粒子の粒径が大きくなればなるほど）、上方（照射方向の前方）に対して指向性が高い光が散乱されていることがわかる。また、実際のところ、散乱光強度の角度分布Ｉ（Α、Θ）は、入射光波長λを固定すれば、散乱子の半径ｒと、媒体および散乱微粒子の相対屈折率ｍとをパラメータとして制御することができる。
【００４６】
このような、単一真球粒子がＮ個含まれる光散乱導光体に光を入射させると、光は真球粒子により散乱される。散乱光は光散乱導光体中を進み、他の真球粒子により再度散乱される。ある程度以上の体積濃度で粒子を添加した場合には、このような散乱が逐次的に複数回行われた後、光が光散乱導光体から出射する。このような散乱光がさらに散乱されるような現象を多重散乱現象と呼ぶ。このような多重散乱においては、透明ポリマでの光線追跡法による解析は容易ではない。しかし、モンテカルロ法により光の挙動を追跡し、その特性を解析することはできる。それによると、入射光が無偏光の場合、散乱角の累積分布関数Ｆ（Θ）は下記の式（７）で表される。
【００４７】
【数２】
2011181251.tif 000004
【００４８】
ここで式（７）中のＩ（Θ）は、式（２）で表されるサイズパラメータΑの真球粒子の散乱強度である。強度Ｉｏの光が光散乱導光体に入射し、距離ｙを透過した後、光の強度が散乱によりＩに減衰したとすると、これらの関係は下記の式（８）で表される。
【００４９】
【数３】
2011181251.tif 000005
【００５０】
この式（８）中のτは濁度と呼ばれ、媒体の散乱係数に相当するものであり、下記の式（９）のように粒子数Ｎに比例する。なお、式（９）中、σｓは散乱断面積である。
【００５１】
【数４】
2011181251.tif 000006
【００５２】
式（８）から長さＬの光散乱導光体を散乱せずに透過する確率Ｐｔ（Ｌ）は下記の式（１０）で表される。
【００５３】
【数５】
2011181251.tif 000007
【００５４】
反対に光路長Ｌまでに散乱される確率Ｐｓ（Ｌ）は下記の式（１１）で表される。
【００５５】
【数６】
2011181251.tif 000008
【００５６】
これらの式からわかるように、濁度τを変えることにより、光散乱導光体内での多重散乱の度合いを制御することができる。この濁度τとレンズ内部の厚さＭによって表わされる散乱回数（多重散乱の度合い）ｎは、０．１＜τ・Ｍ（＝ｎ）＜５０が選択される。
【００５７】
以上の関係式により、散乱効率Ｋ（Ａ）は、散乱子の半径ｒと波長λの比（ｒ／λ）の関数となっている。すなわち、ある波長の光の散乱効率を、散乱子の粒径によって制御することができる。
【００５８】
この例では、粒子径１μｍ〜９μｍの球状かつ投光性のシリコーン粒子が多数含まれている光散乱導光体を用いるものとする。
【００５９】
このような光散乱導光体の配光制御用レンズ４３を用いることにより、配光分布をなめらかにすることができる。
【００６０】
通常の透明レンズを用いた場合、照度分布が高い部分が光源に集まり、照度分布の形状としては台形のような形になる。すなわち、この場合、ＬＥＤユニット１２の間隔を正確に設定しないと、光の当たらない領域ができてしまう。この点、光散乱導光体を用いた場合、配光分布をなめらかに広がるので、ＬＥＤユニット１２の配置が容易になる。
【００６１】
３．以上においては、ＬＥＤユニット１２の間隔を、式（１）を満たす距離としたが、式（１２）を満たす範囲の距離とすることもできる。ｐ≦２Ｌ・tanθ、のとき、ＬＥＤユニット１２の半値照射範囲が一部重なるが、その程度の範囲であれば、光の照度が低いことから影の写りが薄く、実質的に問題が生じない可能性がある。
（Ｌ・tanθ）/４≦ｐ≦２Ｌ・tanθ・・・（１２）
【００６２】
図７は、配光制御用部材を使用しないＬＥＤユニット１２を用いて照射した場合（半値半角が６０°）であって、ＬＥＤユニット１２の間隔が、（Ｌ・tanθ）/４の値より小さいときの照射対象物を真上から見たとき（従来の一般的な仕様）の照射対象物付近の照度分布および照度曲線を表わしている。図中央に照度分布が示され、照度分布の下方および右方に、この照度分布におけるＸ軸方向の照度曲線とＹ軸方向の照度曲線がそれぞれ示されている。いまの場合、このＬＥＤユニット１２から照射面（床）までの距離が３００ｍｍであり、ＬＥＤユニット１２の間隔が７０ｍｍである。すなわち、（Ｌ・tanθ）/４＝１２９.９ｍｍとなり、ＬＥＤユニット１２の間隔はそれより短くなっている。
【００６３】
図７には、照射対象物の影が生じていることによる照度の変化が現れている。
【００６４】
図８は、半値半角が１２°のＬＥＤユニット１２を用いて照射した場合であって、ＬＥＤユニット１２の間隔が、（Ｌ・tanθ）/４の値より大きいときの照射対象物を真上から見たときの照射対象物付近の照度分布および照度曲線を表わしている。図中央に照度分布が示され、照度分布の下方および右方に、この照度分布におけるＸ軸方向の照度曲線とＹ軸方向の照度曲線がそれぞれ示されている。いまの場合も、このＬＥＤユニット１２から照射面（床）までの距離が３００ｍｍであり、ＬＥＤユニット１２の間隔が７０ｍｍである。すなわち、（Ｌ・tanθ）/４＝１５．９ｍｍとなり、ＬＥＤユニット１２の間隔はそれよりも大きくなっている。
【００６５】
図８の例では、図７に現れている照度の変化が現れていない。ｐ≦２Ｌ・tanθとなり、ＬＥＤユニット１２の半値照射範囲が一部重なるが、光の照度が低いことから影の写りが薄くなっている。
【００６６】
４．また以上においては、配光制御用部材として配光制御用レンズ４３を用いた場合を例として説明したが（図３）、たとえば配光制御用部材としてリフレクタを用いることができる。
【００６７】
図９は、この光素子を用いたＬＥＤユニット１２で照射した場合であって、ＬＥＤユニット１２の間隔が、（Ｌ・tanθ）/４の値より大きいときの照射対象物を真上から見たときの照射対象物付近の照度分布および照度曲線を表わしている。図中央に照度分布が示され、照度分布の下方および右方に、この照度分布におけるＸ軸方向の照度曲線とＹ軸方向の照度曲線がそれぞれ示されている。この場合も、対象物の影の発生が抑制されている。
【００６８】
５．また以上においては、ＬＥＤユニット１２が４個の場合を例として説明したが、その数は４個に限らず、２個以上であればよい。
【００６９】
６．また以上においては、ＬＥＤユニット１２のＬＥＤ基板３２がレールユニット１１の溝状レール部２１Ａ中を移動して、ＬＥＤユニット１２の位置を調整できるようにしたが、他の構造によって、ＬＥＤユニット１２が移動できるようにすることもできる。
【００７０】
７．また以上においては、ＬＥＤユニット１２がレールユニット１１に移動可能に取り付けられる場合を例としたが、式（１）で算出される間隔にＬＥＤユニット１２が予め配置されている構造とすることもできる。ＬＥＤユニット１２がレールユニット１１に移動可能に取り付けられる場合、その状態でユーザに提供し、ユーザが使用する環境に応じてＬＥＤユニット１２の位置を調整することが想定される。一方、ＬＥＤユニット１２の半値半角や照射面までの距離が規格化されているような場合、予めその条件に応じた間隔にＬＥＤユニット１２が配置されたＬＥＤ照明装置１をユーザに提供することもできる。
【００７１】
８．また以上においては、ＬＥＤユニット１２を縦長のレールユニット１１に取り付けられている場合を例として説明したが、たとえば円形状のものに取り付けるようにすることもできる。
【００７２】
９．また以上においては、配光制御用レンズ４３の照度分布の形状について言及しなかったが、円形でも楕円形でもよい。なお楕円形の場合、長辺方向の配光角が短辺方向の配光角より大きくなるようにすることができる。
【００７３】
１０．また以上においては、配光制御用レンズ４３の照射面は露出しているが、たとえば、透明カバーが覆うような構成とすることができる。
【００７４】
１１．また以上においては、天井から床面を照射する場合を例として説明したが、店舗で用いられる商品に陳列棚や自動販売機内の商品棚の照明等に用いることができる。
【符号の説明】
【００７５】
１  ＬＥＤ照明装置
１１  レールユニット
１２  ＬＥＤユニット
２１  取付部
２２  フレキシブル基板
３１  ＬＥＤ部
３２  ＬＥＤ基板
４１  ＬＥＤチップ
４２  レンズ用ホルダー
４３  配光制御用レンズ
【図１】
2011181251.tif 000009
【図２】
2011181251.tif 000010
【図３】
2011181251.tif 000011
【図４】
2011181251.tif 000012
【図５】
2011181251.tif 000013
【図６】
2011181251.tif 000014
【図７】
2011181251.tif 000015
【図８】
2011181251.tif 000016
【図９】
2011181251.tif 000017